(57)【特許請求の範囲】
【請求項１】
導電性を有するとともに所定の形状を保持可能な剛性を有するパイプと、
前記パイプの端部に電気的に接続された筒状をなす可撓性導電部材と、
前記可撓性導電部材のうち前記パイプとは反対側の端部に電気的に接続された端子金具と、
前記パイプの内部に挿通されて前記可撓性導電部材の中間部から外側に引き出された電線と、
前記電線の端末部に接続された端子金具と、
を備えているワイヤハーネス。
【請求項２】
前記可撓性導電部材が、金属素線を編組して形成した編組部材である請求項１に記載のワイヤハーネス。
【発明の詳細な説明】
【技術分野】
【０００１】
本発明は、ワイヤハーネスに関する。
【背景技術】
【０００２】
従来、車両等に配索される複数本の電線を束にしてなるワイヤハーネスが知られている。ワイヤハーネスには、例えば下記特許文献１に記載のように、電線を保護するためのコルゲートチューブやプロテクタ等の部品、また電線を所定の配索経路に保持したり車体に固定するためのクランプやクリップ等、多数の部品が備えられている。
【先行技術文献】
【特許文献】
【０００３】
【特許文献１】特開２００４−２６８８０３号公報
【発明の概要】
【発明が解決しようとする課題】
【０００４】
しかしながら、上記のような構成では、ワイヤハーネスに備えられる部品点数が多く、ワイヤハーネスの構造が複雑であるため、各種部品の製造や組み付け作業にかかるコストが高くなる傾向があった。
【０００５】
本発明は上記のような事情に基づいて完成されたものであって、部品点数を減らし、構造を簡素化することが可能なワイヤハーネスを提供することを目的とする。
【課題を解決するための手段】
【０００６】
本発明のワイヤハーネスは、導電性を有するとともに所定の形状を保持可能な剛性を有するパイプと、前記パイプの端部に電気的に接続された筒状をなす可撓性導電部材と、前記可撓性導電部材のうち前記パイプとは反対側の端部に電気的に接続された端子金具と、前記パイプの内部に挿通されて前記可撓性導電部材の中間部から外側に引き出された電線と、前記電線の端末部に接続された端子金具と、を備えている。
【発明の効果】
【０００７】
本発明によれば、パイプが電線を保護し、またパイプがそれ自体で形状を保持できるため、多数のプロテクタやクランプ等を備えなくてもよく、またパイプがそれ自体で導電路を形成するから電線の本数を減らすことができる。すなわち、本発明によれば、部品点数を減らし、構造を簡素化することができる。
【図面の簡単な説明】
【０００８】
【図１】本実施例におけるワイヤハーネスの端部を表す一部拡大図
【発明を実施するための形態】
【０００９】
本発明の好ましい形態を以下に示す。
【００１０】
本発明のワイヤハーネスは、前記可撓性導電部材が、金属素線を編組して形成した編組部材であるものとしてもよい。このような構成によれば、編組部材の網目を広げることにより、可撓性導電部材の中間部から電線を容易に引き出すことができる。
【００１１】
＜実施例＞
以下、本発明を具体化した一実施例について、図１を参照しつつ詳細に説明する。
本実施例におけるワイヤハーネス１０は、車両に取り付けられるものであり、複数本（本実施例では２本）の導電路を有し、各導電路は車両に搭載された各種機器に接続される。このワイヤハーネス１０は、２本の導電路のうち１方の導電路（以後、第１導電路１０Ｆと称する）の内側に、他方の導電路（以後、第２導電路１０Ｓと称する）が形成された２層構造をなしている。
【００１２】
なお、本実施例では、第１導電路１０Ｆは低電圧（例えば１２Ｖ）の補助バッテリとモータジェネレータとに接続され、第２導電路１０Ｓは低電圧の補助バッテリと各種の電装品（ナビゲーション装置、エアコン、ヘッドランプ等）とに接続される。ワイヤハーネス１０は、室外（床下）を通って各種機器に接続される。
【００１３】
端子金具２０は、所定形状に打ち抜いた導電性の金属板材を曲げ加工等して成形されている。端子金具２０は、車両に搭載される各種機器の端子部に接続される第１接続部２１と、各導電路の端末部に接続される第２接続部２２とを備えている。第１接続部２１には接続孔２３が貫通形成され、第２接続部２２には、各導電路の端末部にかしめ付けられる一対のカシメ片２４が備えられている。
【００１４】
第１導電路１０Ｆは、導電性を有するとともに所定の曲げ形状を保持可能な剛性を有するパイプ１１を備えている。パイプ１１は金属製（銅やアルミニウム等）であって、略円筒形の比較的長尺なものとされている。パイプ１１の内部には、後述する電線１６を挿通可能な最小限の空間が確保されている。パイプ１１の外周側は、図示しない絶縁部材（樹脂製のコルゲートチューブや収縮チューブ等）で覆われる。
【００１５】
パイプ１１の端部には、導電性を有するとともに比較的容易に撓み変形可能な可撓性導電部材１２が接続されている。可撓性導電部材１２は、導電性の金属細線（例えば、銅）をメッシュ状に編み込んで筒状に形成してなる編組部材である。可撓性導電部材１２の一端側は、パイプ１１の外周側に被せ付けられ、カシメリング等の固定部材１３によってカシメ付けられて、パイプ１１の端部に導通可能に固着されている。
【００１６】
そして、可撓性導電部材１２の他端側には、端子金具２０が電気的に接続されている。端子金具２０は、可撓性導電部材１２の端部において細い棒状をなして一体化するように纏められた部分に第２接続部２２がカシメ付けられて接続されている。なお、可撓性導電部材１２は、パイプ１１との接続箇所を含む大部分が、図示しない保護部材（例えばグロメット等）によって覆われて保護される。
【００１７】
第２導電路１０Ｓは、複数本の素線を撚り合わせてなる導体１４の外周を絶縁被覆１５で包囲してなる電線１６を備えている。導体１４は、銅あるいは銅合金、アルミあるいはアルミ合金によって形成されている。
【００１８】
電線１６は、パイプ１１の内部に挿通されて可撓性導電部材１２の中間部から外側に引き出されている。電線１６は、可撓性導電部材１２の網目を広げることによって形成された貫通孔１７を通って導出している。
【００１９】
そして、電線１６の端末部には、可撓性導電部材１２に接続された端子金具２０とは別の端子金具２０が圧着されている。端子金具２０は、電線１６の端末部において絶縁被覆１５が剥がされて露出した導体１４に、第２接続部２２がカシメ付けられて接続されている。
【００２０】
次に、上記のように構成された実施例の作用および効果について説明する。
本実施例のワイヤハーネス１０は、導電性を有するとともに所定の形状を保持可能な剛性を有するパイプ１１と、パイプ１１の端部に電気的に接続された筒状をなす可撓性導電部材１２と、可撓性導電部材１２のうちパイプ１１とは反対側の端部に電気的に接続された端子金具２０と、パイプ１１の内部に挿通されて可撓性導電部材１２の中間部から外側に引き出された電線１６と、電線１６の端末部に接続された端子金具２０と、を備えている。
【００２１】
この構成によれば、パイプ１１が電線１６を保護し、またパイプ１１がそれ自体で形状を保持できるため、多数のプロテクタやクランプ等を備えなくてもよく、またパイプ１１がそれ自体で導電路を形成するから電線の本数を減らすことができる。すなわち、本発明によれば、部品点数を減らし、構造を簡素化することができる。また、仮に２本の導電路が、２本の電線をパイプに挿通して形成されている場合に比べて、ワイヤハーネスの外径寸法（幅寸法）を小さくすることができる。
【００２２】
また、可撓性導電部材１２が、金属素線を編組して形成した編組部材である。この構成によれば、編組部材の網目を広げることにより、可撓性導電部材１２の中間部から電線１６を容易に引き出すことができる。
【００２３】
＜他の実施例＞
本発明は上記記述及び図面によって説明した実施例に限定されるものではなく、例えば次のような実施例も本発明の技術的範囲に含まれる。
（１）上記実施例では、パイプ１１は金属製とされているが、これに限らず、例えばパイプは樹脂製のパイプ内に金属箔を埋め込んだ構造の樹脂パイプ等であってもよい。
（２）上記実施例では、可撓性導電部材１２は編組部材とされているが、これに限らず、可撓性導電部材は例えば蛇腹形状をなす金属製のコルゲートパイプであってもよい。
（３）上記実施例では、可撓性導電部材１２の端末部に端子金具２０がカシメ付けられているが、これに限らず、例えば可撓性導電部材の端末部に端子金具が溶接等によって接合されていてもよい。
（４）上記実施例では、導電路が２本である場合を説明したが、これに限らず、例えば導電路は３本以上であってもよく、そのような場合には、電線の本数を増やせばよく、増やした電線はパイプの内部に挿通してもよいし、パイプの外周面に沿わせてもよい。
（５）上記実施例では、可撓性導電部材１２の網目を広げて貫通孔１７が形成されているが、可撓性導電部材が編組部材でない場合には、可撓性導電部材の中間部に穴あけ加工等して貫通孔を形成してもよい。
（６）上記実施例では、室外（床下）を通って各種機器に接続されるワイヤハーネス１０について説明したが、これに限らず、本発明は、各種機器間で形状保持が必要な配索部位に広く適用することができる。
（７）上記実施例では、パイプ１１は略円筒形であるが、これに限らず、パイプの断面形状は任意の形状であってよく、例えば四角形等の多角形状であってもよい。
【符号の説明】
【００２４】
１０…ワイヤハーネス
１１…パイプ
１２…可撓性導電部材
１６…電線
２０…端子金具
【図１】
0006281524.tif 000002